(57)【要約】      （修正有）【課題】充分な嵌合強度を備えていながら、ワンタッチ嵌合・開放を可能としたプラスチックケースを提案する。【解決手段】所要深さを備えた容器本体１と、容器本体の上部を覆う蓋体２と、これら両体を一側で連結する折り畳み自在のヒンジ部３とを備え、ヒンジ部が、容器本体の後壁１４と閉蓋姿勢における蓋体の後壁との連接部に形成され、容器本体の前壁１１と閉蓋姿勢における蓋体の前壁２１との間に開口部が形成され、これら両体の後壁を除くか、またはこれらの両後壁を含む、他のほぼ全周面が略密接状態に嵌合され、開口部の周縁部分に外側へ突出するリブ状突起５を蓋体と一体的に形成する。容器本体に対して蓋体を押し付けるだけのワンタッチ操作で閉蓋でき、拇指の腹で容器本体の前壁を容器の内部方向に向けて押し込みながら、リブ状突起を押し上げるというワンタッチ操作によって、開蓋できる。【選択図】図１０
0003185125.tif 000002
【実用新案登録請求の範囲】
【請求項１】
所要深さを備えた容器本体(1)と、該容器本体(1)の上部を覆う蓋体(2)と、これら両体(1，2)を一側で連結する折り畳み自在のヒンジ部(3)とを備え、
該ヒンジ部(3)が、容器本体(1)の後壁(14)と閉蓋姿勢における蓋体(2)の後壁(24)との連接部に形成され、容器本体(1)の前壁(11)と閉蓋姿勢における蓋体(2)の前壁(21)との間に開口部(4)が形成されている容器であって、
これら両体(1，2)の後壁(14，24)を除くか、またはこれらの両後壁(14，24)を含む、他のほぼ全周面が略密接状態に嵌合され、かつ、前記開口部(4)の周縁部分に外側に向かって突出するリブ状突起(5)が蓋体(2)と一体的に形成されているプラスチックケース。
【請求項２】
容器本体(1)及び蓋体(2)の平面視形状が略方形状に形成されている請求項１に記載のプラスチックケース。
【考案の詳細な説明】
【技術分野】
【０００１】
本考案は、主として小物金属部品類を多数個収容させて市場へ流通させるために使用するプラスチック製の包装用ケースに関するものである。より詳しくは、例えば、電線用端子金具類や電子部品類等の金属部品類を収容するために用いる内部透視可能なプラスチックケースに関するものである。
【背景技術】
【０００２】
従来から、このような内部透視可能なプラスチックケースとしては、例えば押しピンのような日用品、ゼムクリップのような文房具、さらには釘・ビスネジのようなＤＩＹ用品等の小物商品を収容するためのケースとして、既に種々の形態のものが開発され、一般に知られている。
【０００３】
また、記録媒体としてのコンパクトディスク保存用の透明なプラスチックケースも、例えば特許文献１に見られるように、一般に知られ、広く使用されている。
【先行技術文献】
【特許文献】
【０００４】
【特許文献１】登録実用新案第３１５２３８６号公報
【考案の概要】
【考案が解決しようとする課題】
【０００５】
この特許文献１に記載のプラスチックケースは、ケース本体に対して蓋を着脱自在に取り付けたケースであるが、その収容物として一枚のコンパクトディスクを収容させるためのものであるため、万一予期せず落下させても周囲に散乱する性質のものではなく、容易に収集することができる。他方、前記押しピンやゼムクリップのように軽量な物品にあっては、予期せず落下させても容易に散乱することはないので、容器本体と蓋体とは簡易な嵌合形態のものが多い。
【０００６】
一方、本考案が使用を意図している前記小物金属部品類の収容ケースの場合には、万一予期せず落下させると、蓋が開いて多数の収容部品類が周囲へ広範囲に渡って散乱する性質を有しているため、万一落下させても、容易には蓋が開放しない程度に強固に嵌合させておく必要がある。
【０００７】
しかしながら、ケースの構造を、例えばロック機構を備えた複雑なものとしたり、ケースの開閉が複雑でワンタッチ操作が困難なものとすると、使い勝手が悪くなるため好ましいとは言えない。
【０００８】
そこで、本考案は、このような課題を解決するために工夫を加え、構造を複雑化することなく、使用素材を可及的に少なくし、軽量で、誤って落下させても容易には蓋が開放することのない程度に充分な嵌合強度を備えている容器でありながら、殊に、ワンタッチ嵌合とワンタッチ開放操作が可能な構造としたプラスチックケースをここに提案しようとするものである。
【課題を解決するための手段】
【０００９】
該目的を達成するために講じた本考案の請求項１に記載のプラスチックケースの構成を説明すると、所要深さを備えた容器本体１と、該容器本体１の上部を覆う蓋体２と、これら両体１，２を一側で連結する折り畳み自在のヒンジ部３とを備え、該ヒンジ部３が、容器本体１の後壁１４と閉蓋姿勢における蓋体２の後壁２４との連接部に形成され、容器本体１の前壁１１と閉蓋姿勢における蓋体２の前壁２１との間に開口部４が形成されている容器であって、これら両体１，２の後壁１４，２４を除くか、またはこれらの両後壁１４，２４を含む、他のほぼ全周面が略密接状態に嵌合され、かつ、前記開口部４の周縁部分に外側に向かって突出するリブ状突起５が蓋体２と一体的に形成されている構成としたものである。
【００１０】
続く請求項２に記載のプラスチックケースの構成は、前記請求項１に記載のプラスチックケースの構成に従属する構成であって、容器本体１及び蓋体２の平面視形状が略方形状に形成されている構成としたものである。
【考案の効果】
【００１１】
本考案の請求項１に記載のプラスチックケースは、後壁を除く他の周面において、または後壁面をも含めて、容器本体の周縁部と蓋体の周縁部とを略密接状態で相対嵌合する構造としてあることによって、ケースが予期せず落下した場合でも、蓋が開放して内容物が周囲に広く散乱することがない程度に、容器本体と蓋体とを密着させて充分な閉蓋状態維持力を備えているものとし、このような閉蓋状態維持力を備えているにも拘わらず、容器の閉蓋操作時には、容器本体に対して蓋体を押し付けるだけのワンタッチ操作で閉蓋でき、容器の開口操作時には、拇指の腹で容器本体の前壁を容器の内部方向に向けて押し込みながら、同時に蓋体の開口部に形成してあるリブ状突起を上方に向けて押し上げるというワンタッチ操作によって、容器を簡単に開放することができるという優れた利便性を有しているものである。
【００１２】
また、請求項２に記載のプラスチックケースは、容器本体及び蓋体の平面視形状を略方形形状に形成したものであるので、容器の開口操作時において、拇指の腹で容器本体の前壁を容器内部に向けて押し込む操作がヒンジ部に向かって直接伝達され、そのため蓋体の開口部に形成してあるリブ状突起の上方への押し上げ操作力が確実に伝達でき、容器の開放がより一層容易確実にできるという効果を期待できる。
【図面の簡単な説明】
【００１３】
【図１】第１実施例のプラスチックケースの閉蓋状態を示す正面図。
【図２】図１の平面図。
【図３】図１の右側面図。
【図４】図１のケースの閉蓋状態の斜視図。
【図５】図１のケースの開蓋状態の平面図。
【図６】図５のケースの開蓋状態の右側面図。
【図７】図５におけるＡ−Ａ線断面図。
【図８】蓋体遊端部の拡大断面図。
【図９】ヒンジ部の拡大断面図。
【図１０】図５のケースの開蓋状態の斜視図。
【図１１】第２実施例のプラスチックケースの開蓋状態を示す平面図。
【図１２】図１１におけるＢ−Ｂ線断面図。
【図１３】図１１における蓋体遊端部の拡大断面図。
【図１４】図１１のケースの開蓋状態の斜視図。
【考案を実施するための形態】
【００１４】
上記のような構成とした本考案のプラスチックケースを実施するに当たっては、外部から内部を透視し易い透明または半透明の樹脂素材で、適度の粘性を有し、落下させても容易に亀裂が生じて破壊されることのない樹脂素材を選定するのが好ましい。
【実施例】
【００１５】
以下添付の図１乃至図１０に示した本考案の第１実施例について説明する。該実施例に示したプラスチックケースは、その概形を、図２の平面図に見られるように、平面形状をやや縦長の長方形に形成してあり、容器本体１の深さを図１の正面図に見られるように、平面図長さの２分の１乃至３分の１程度の深さを備えた形状に形成してあるボックス形のケースである。
【００１６】
このケースは、容器本体１と、その上部を覆う蓋体２と、これらの容器本体１と蓋体２とを図３の右側面図に見られるように、その上端部の稜線部分に沿って、折り畳み自在の肉薄部としたヒンジ部３によって一体的に連結してある構造としたものである。このヒンジ部３の断面構造は、図９に拡大して示してある。
【００１７】
而して、ここに示した容器本体１は、容器本体１の前壁１１と閉蓋姿勢における蓋体２の前壁２１との間に開口部４が形成されている容器であって、図５，６の平面図と右側面図、及び、殊に図１０の斜視図から明らかなように、前壁１１と左右の側壁１２，１３との上端近くの所定幅を薄肉部１１１，１２１，１３１とし、該薄肉部１１１，１２１，１３１の外面に閉蓋姿勢での蓋体２における前壁２１と左右の側壁２２，２３とが略密接状態で外嵌される構造としてある。
【００１８】
また、該容器本体１には、図１０に示したように、前壁１１の左右方向中央部の上部に偏って略Ｕ字形の薄肉部とした指宛て部１５を形成してあり、前記薄肉部１１１の左右部分には係合用突起１６，１６を前面側に向けて突出させてある。
【００１９】
他方、蓋体２には、閉蓋姿勢での前壁２１（図１０では後壁に当たる壁）において、図８に拡大して示したように、図１０の係合用突起１６，１６と対応する箇所に、これらの係合用突起１６，１６と係合する係止用突起２６，２６を形成すると共に、その直前箇所に天板２０から突出させた位置決め用の突起２７，２７を突出形成してある。而して、図１，４の閉蓋姿勢において、前記係合用突起１６，１６をこれらの係止用突起２６，２６と位置決め用突起２７，２７とによって挟み込んで固定する構造としてある。なお、図８に示した符号２１ａは、位置決め用突起２７を形成するための抜き穴である。
【００２０】
このようにして、容器本体１に蓋体２を嵌合させたとき、容器本体１の薄肉部１１１，１２１，１３１の外周面と、蓋体２における前壁２１と左右の側壁２２，２３の内周面とが略密接状態で外嵌され、同時に、前記係合用突起１６と係止用突起２６との係合によって閉蓋状態が維持される構造としてある。
【００２１】
図１１乃至図１４は、第２実施例のプラスチックケースについて示したものである。該実施例に示したケースは、図１３に拡大して示したように、蓋体２における閉蓋姿勢での前壁２１（図１３の右側壁）に、前記第１実施例において示した係止用突起２６に相当する係止用突起２８を、抜き穴２１ａを形成することなく無理抜き方式で形成したものである。
【００２２】
本考案にいうプラスチックケースは、このようにして容器本体の周縁部と蓋体の周縁部とを略密接状態で相対嵌合する構造とし、さらに、実施例のものにあっては、容器の前面側即ち開口面側において容器本体と蓋体とを突起どうしの係合によって、より確実に閉蓋姿勢を維持するようにしてあるため、ケースが落下しても容易に蓋が開放することのない構成であるにも拘わらず、容器を閉めるときは、容器本体に対して蓋体を押し付けるだけの操作でよく、容器を開くときには、蓋体の開口部に形成してあるリブ状突起を上方に押し上げる操作で簡単に開放でき、便利に使用できるという効果を有する。
【００２３】
本考案にいうプラスチックケースは、実施例形態として平面視形状を方形形状としたものについて示してあるが、この形状は正方形や長方形等の方形形状のみに限定されるものではなく、各角部をＲ付き枠や、逆Ｒ付き枠、Ｃ付き枠、切り欠き枠等としたものでもよく、全体形状を小判形枠としたり、四辺形を除く多角形枠として実施することができるものである。その他、本考案の構成要件を充足し、目的を達成し、効果を有する範囲内において適宜に改変して実施することができるものである。
【符号の説明】
【００２４】
１  容器本体
１１  前壁
１４  後壁
２  蓋体
２１  前壁
２４  後壁
３  ヒンジ部
４  開口部
５  リブ状突起
【図１】
0003185125.tif 000003
【図２】
0003185125.tif 000004
【図３】
0003185125.tif 000005
【図４】
0003185125.tif 000006
【図５】
0003185125.tif 000007
【図６】
0003185125.tif 000008
【図７】
0003185125.tif 000009
【図８】
0003185125.tif 000010
【図９】
0003185125.tif 000011
【図１０】
0003185125.tif 000012
【図１１】
0003185125.tif 000013
【図１２】
0003185125.tif 000014
【図１３】
0003185125.tif 000015
【図１４】
0003185125.tif 000016